(57)【要約】【課題】余長可変用の巻回部分をコンパクトに収納保持して、鳥類等により引っ張られることから保護することができ、布設作業、余長調整、運搬等の処理が容易な光ケーブルを提供する。【解決手段】光ファイバ心線を外被で被覆した本体部１２、１２’を備えた光ケーブル１１、１１’であって、光ケーブルの一部が光ファイバの許容曲げ径以上の径で巻かれた複数の巻回ターンからなる巻回部分１７で形成され、該巻回部分１７が巻付け体１９に巻付けられていることを特徴とする。なお、前記の巻付け体１９の外径は、光ファイバの許容曲げ径以上の径で形成されている。【選択図】図１
2008268461.tif 000002
【特許請求の範囲】
【請求項１】
光ファイバ心線を外被で被覆した本体部を備えた光ケーブルであって、光ケーブルの一部が光ファイバの許容曲げ径以上の径で巻かれた複数の巻回ターンからなる巻回部分で形成され、該巻回部分が巻付け体に巻付けられていることを特徴とする光ケーブル。
【請求項２】
前記巻付け体の外径が光ファイバの許容曲げ径以上の径であることを特徴とする請求項１に記載の光ケーブル。
【請求項３】
前記巻付け体の軸方向に吊線が挿通されていることを特徴とする請求項１又は２に記載の光ケーブル。
【請求項４】
前記巻付け体に、前記吊線の側方から着脱を可能とするスリットが設けられていることを特徴とする請求項３に記載の光ケーブル。
【請求項５】
前記巻付け体の外面に所定の間隔で軸方向に複数の突起が設けられていることを特徴とする請求項１〜４のいずれか1項に記載の光ケーブル。
【請求項６】
前記突起の間隔が、ケーブルの前記本体部の径の５〜１０倍であることを特徴とする請求項５に記載の光ケーブル。
【請求項７】
前記巻付け体の巻回部分の引き延ばし側の端部に、テーパがつけられていることを特徴とする請求項１〜６のいずれか1項に記載の光ケーブル。
【請求項８】
前記巻付け体の軸方向に所定の間隔で、容易に切断可能な環状のノッチが設けられていることを特徴とする請求項１〜４のいずれか1項に記載の光ケーブル。
【請求項９】
前記巻付け体は、軸方向に分割可能な複数の短尺の円筒体で形成されていることを特徴とする請求項１〜３のいずれか1項に記載の光ケーブル。
【発明の詳細な説明】
【技術分野】
【０００１】
本発明は、幹線光ケーブルからクロージャを介して、加入者宅等に引き落とすのに用いるような光ケーブルに関する。
【背景技術】
【０００２】
近年の映像配信、ＩＰ電話、データ通信等のブロードバンドサービスの拡大により、光ファイバによる家庭向けのデータ通信サービス（ＦＴＴＨ：Fiber To The Home）の加入者が増加している。このＦＴＴＨでは、架空の幹線光ケーブルからクロージャを介して加入者宅等に引き落とす、例えば、ドロップ光ケーブルと言われている光ケーブルが多く用いられている。加入者宅への光ファイバの引き落としは、例えば、図１３に示すように市街の電柱等に布設された幹線光ケーブルを、通常、クロージャと称されている接続函内で分岐し、分岐された光ファイバをドロップ光ケーブルに接続して行われている。
【０００３】
この光ファイバの引き落としに用いられるドロップ光ケーブルは、一般に、ケーブル内の光ファイバが１本〜数本の少ない心数で形成される。図１４は、一般的なドロップ光ケーブルの一例を示す図で、図１４（Ａ）に示す光ケーブル１は、断面矩形状のケーブル本体部２と円形の吊線部３を首部４で連結一体化した構造のものである。図１４（Ｂ）に示す光ケーブル１’は、断面円形状のケーブル本体部２’を同様に、円形の吊線部３を首部４で連結一体化した構造のものである。
【０００４】
図１４（Ａ）のケーブル本体部２は、光ファイバ心線５の両側にテンションメンバ６を配し、これらを断面矩形状の本体部外被７（例えば、長辺側３ｍｍ、短辺側２ｍｍ程度）で被覆して形成される。光ファイバ心線５は標準外径１２５μｍのガラスファイバを外径２５０μｍ程度の保護被覆で被覆したものである。テンションメンバ６は、鋼線あるいは高強度繊維をマトリックス樹脂で固めたノンメタリック線材が用いられている。また、ケーブル本体部２の側面には、Ｖ字状のノッチ８が設けられ、このノッチ部分で本体部外被７を引裂いて内部の光ファイバ心線５を取り出し、分岐接続や端末形成が容易に行えるようにされている。
【０００５】
図１４（Ｂ）のケーブル本体部２’は、光ファイバ心線５の周囲にアラミド繊維等の高強度繊維６’を配して、これらを断面円形状の本体部外被７’（例えば、外径２ｍｍ程度）で被覆して形成される。高強度繊維６’は、光ファイバ心線の緩衝とテンションメンバとしての機能を有している。
吊線部３は、例えば、１.２ｍｍφ程度の鋼線からなる支持線９の外周を吊線外被１０で被覆して形成される。本体部外被７、７’と吊線外被１０には、ポリエチレン等の同じ樹脂材が用いられ、両者は細幅の首部４を介して連結する形態で、押出し成型により一括して形成される。
【０００６】
また、屋内配線に用いられるインドア光ケーブルは、上記した光ケーブルの吊線部３を除去したケーブル本体部２，２’の形状で使用することができる。このインドア光ケーブルは、ビル等の集合住宅では、ビル内に引込まれた幹線光ケーブルから、光ファイバを分岐して各宅に光配線するのに用いられる。
【０００７】
これらの光ケーブル布設の需要増に対して、ドロップ光ケーブルやインドア光ケーブルによる布設作業の迅速化が望まれている。架空の幹線光ケーブルからの引き落とし作業の場合は、電柱上やバケット車上というような作業環境の悪い状況で行うことが多く、ケーブルを所定の長さに切断し、ケーブル内から光ファイバ心線を取り出し、光ファイバ同士を融着接続して補強処理するなどの作業は容易ではなく、時間もかかる。このため、所定の長さに切断された光ケーブルの両端に予め光コネクタを取付けておき、現場での作業軽減を図る方法がある。
【０００８】
この場合、光ケーブルの両端に予め光コネクタを取付けて接続作業の効率化をはかると共に、光ケーブルにカール部を設けて余長可変とし、布設長の誤差を吸収している（例えば、非特許文献１参照）。また、光ケーブル全長にカール加工を施し、既設の吊線に巻付け、長手方向に引張って布設することにより、布設作業の簡略化をはかる方法もある（例えば、特許文献１参照）。
【特許文献１】特開２００５−２９２２０５号公報
【非特許文献１】戸毛邦弘、他２名「基板整備の有効利用を可能とする光ケーブル技術」，ＮＴＴ技術ジャーナル，社団法人  電気通信協会，２００６年１２月，Ｐ．６４−６５
【発明の開示】
【発明が解決しようとする課題】
【０００９】
しかしながら、上記非特許文献１に開示の光ケーブルは、マンホールを含む地下管路に布設するに光ケーブルを対象としているが、余長を可変するためのカール部の保護や収納についての具体的な開示はなされていない。
また、特許文献１に開示の光ケーブルは吊線部を有しない光ケーブルで、架空からの引き落としが可能な光ケーブルであるが、電柱間に既に布設されているケーブルや吊線等の線材にカール部を巻付けて布設される。この光ケーブルは、全長にわたってカール加工されているので、予め布設されている吊線への巻付け作業を要することと、運搬中にカールが伸びたり曲がったり、側圧を受けて変形したりばらけたりするなどの取扱い上での問題が残っていた。
【００１０】
また、カール付けされた光ケーブルを単に架空吊線等に支持させていると、氷雪の付着や外圧による曲げや切断の恐れがあり、また、風圧により揺れや振れで摩擦が生じ外傷を受ける恐れがある。さらには、カラス等の鳥類がカール付けされた弛み部分を巣作り用の材料と見立てて引っ張ったり遊んだりすることがあり、また、弛みのある巻回部分に虫が巣を造ったりするなどの問題もある。
【００１１】
本発明は、上述した実情に鑑みてなされたもので、余長可変用の巻回部分をコンパクトに収納保持して、鳥類等により引っ張られることから保護することができ、布設作業、余長調整、運搬等の処理が容易な光ケーブルを提供することを目的とする。
【課題を解決するための手段】
【００１２】
本発明による光ケーブルは、光ファイバ心線を外被で被覆した本体部を備えた光ケーブルであって、光ケーブルの一部が光ファイバの許容曲げ径以上の径で巻かれた複数の巻回ターンからなる巻回部分で形成され、該巻回部分が巻付け体に巻付けられていることを特徴とする。なお、前記の巻付け体の外径は、光ファイバの許容曲げ径以上の径で形成されていることが望ましい。
【００１３】
前記の巻付け体は、軸方向に吊線を挿通して支持されるようにしてもよい。この場合、巻付け体は筒であり、側方から吊線への着脱を可能とするスリットを設けるのが好ましい。スリットを設けることで、吊線を巻き付け体に挿通するしないに関わらず、巻回部分から巻き付け体を容易に除去することが可能になる。また、巻付け体の外面に所定の間隔で軸方向に複数の突起を設けて巻回部分の巻付けの保持拘束力を高め、さらには、該突起の間隔をケーブル本体部の径の５〜１０倍で形成して、引き延ばしを容易にするようにしてもよい。
【００１４】
また、巻付け体を、巻回部分の引き延ばし側に向かって細くなるテーパ形状とし、光ケーブルの引き延ばしを容易にするようにしてもよい。また、巻付け体の軸方向に所定の間隔で、容易に切断可能なように円周方向にノッチを設け、あるいは、巻付け体を軸方向に分割可能な複数の円筒体で形成し、任意の長さの巻付け体とすると共に、巻回部分の引き延ばし後に余った巻付け体を部分的に除去するようにしてもよい。
【発明の効果】
【００１５】
本発明によれば、光ケーブルの布設長の誤差を吸収する余長用の巻回部分は、巻付け体により巻回ターンのばらけをなくし、運搬中に巻回部分が伸びたり曲げられたり、側圧を受けて変形するのを防止することができる。また、光ケーブルの布設後は、巻回部分が鳥類による被害を受けることを最小限に抑えることができる。
【発明を実施するための最良の形態】
【００１６】
図により本発明の実施の形態を説明する。図１（Ａ）は、本発明による光ケーブルを用いたケーブル引き落とし形態を説明する図、図１（Ｂ）及び図１（Ｃ）は本発明で使用する光ケーブルの構成例を示す図である。図中、１１、１１’は光ケーブル、１２、１２’は本体部、１３は吊線部、１４は首部、１５は連結一体化部分、１６は分離された部分、１７は巻回部分、１８は光コネクタ、１９は巻付け体を示す。
【００１７】
本発明で用いられる光ケーブル１１は、図１（Ｂ）に示すように、例えば、図１４（Ａ）で説明したのと同様な矩形状のケーブル断面を有する光ケーブル、或いは、吊線部１３を有しない光ケーブルである。光ケーブル１１の詳細説明は省略するが、ケーブルの本体部１２は、１本以上の光ファイバ心線の両側にテンションメンバを配し、これらを断面矩形状の本体部外被（例えば、長辺側３ｍｍ、短辺側２ｍｍ程度）で被覆して形成される。光ファイバ心線は標準外径１２５μｍのガラスファイバを外径２５０μｍ程度の保護被覆で被覆したものである。テンションメンバは、鋼線又は高強度繊維をマトリックス樹脂で固めたノンメタリックの線材で形成されている。また、ケーブルの本体部１２の側面には、引裂き用のＶ字状のノッチが設けられていてもよいが、ノッチを有しない形状のものであってもよい。
【００１８】
また、本発明で用いられる他の光ケーブル１１’としては、図１（Ｃ）に示すように、図１４（Ｂ）で説明したのと同様な円形のケーブル断面を有する光ケーブルである。この光ケーブル１１’の詳細説明は省略するが、ケーブルの本体部１２’は、光ファイバ心線の周囲にアラミド繊維等の高強度繊維を配して、これらを断面円形状の本体部外被（例えば、外径２ｍｍ程度）で被覆して形成される。高強度繊維は、光ファイバ心線の緩衝とテンションメンバとしての機能を有している。
【００１９】
上記の光ケーブル１１，１１’の吊線部１３は、例えば、１.２ｍｍφ程度の鋼線等の外周を吊線外被で被覆して形成される。上述の本体部１２、１２’の外被と吊線部１３の外被は、ポリエチレン等の同じ樹脂材で押出し成型により一括して形成され、本体部１２、１２’と吊線部１３とは、細幅の首部１４を介して連結一体化されている。したがって、本体部１２、１２’と吊線部１３とは連結一体化されているが、必要に応じて首部１４を手で切断して容易に分離できる構成のものである。
【００２０】
本発明による光ケーブルは、図１（Ａ）に示すように、例えば、電柱Ｐに架設された幹線光ケーブルＣから家屋Ｈ等に光ファイバを引き落とすドロップ光ケーブルとして用いられる。幹線光ケーブルＣからの光ファイバの分岐は、クロージャＫにより行われ、分岐された光ファイバに光ケーブル１１、１１’が光学的に接続される。光ケーブル１１、１１’は、本体部１２、１２’と吊線部１３が連結一体化された部分１５と、本体部１２、１２’と吊線部１３が分離された部分１６とからなる。分離された部分１６の本体部１２、１２’には、余長のための円筒状の巻回部分１７が形成される。図１（Ａ）では、吊線が巻回部分に挿通されていない場合について図示している。この巻回部分１７は、後述する巻付け体１９により保持される。この巻付け体１９は、後述するクランプ部材等で、または、巻付け体１９に吊線部１３を挿通することで、吊線部１３に固定される。
【００２１】
吊線部１３は、既設の幹線光ケーブルＣやその他の構造物を利用して固定具Ｒを取付け、光ケーブルの布設径路に沿って張設される。既設の幹線光ケーブルＣにスパイラルハンガーＳが布設されている場合は、これを利用して光ケーブル１１，１１’を布設するようにしてもよい。また、光ケーブル１１，１１’は予め所定の長さにカットされ、少なくとも一方の端部には光コネクタ１８を取付けて布設することで、布設作業の短縮化をはかることが望ましい。なお、光コネクタ１８は、作業現場で取付けることもできるが、予め取付けた状態で準備するようにしてもよい。
【００２２】
巻回部分１７とこれを巻付け支持する巻付け体１９は、図１（Ａ）では家屋側Ｈのケーブル成端側の近くになるよう布設しているが、クロージャＫ側に近くなるように布設することもできる。これは、本体部１２、１２’が連結一体化された部分１５と本体部１２、１２’が分離された部分１６のどちらを、クロージャＫ側に接続するかの違いで、光ケーブルの布設径路の状況等を勘案して、布設時の始端の選択によって決められる。また、巻回部分１７からの光ケーブルの引き延ばしを、左右何れの方向から行うか、或いは、両方から行うかによって、巻回部分１７とこれを巻付け支持する巻付け体１９の位置を変えることもできる。
【００２３】
巻付け体１９は、巻付けられている巻回部分１７を引き延ばしながら、先に張設された吊線部１３に沿って家屋Ｈまで移動させた後、所定の位置に後述するクランプ部材等で保持固定する。巻回部分１７から引き延ばされ弛んだ状態の光ケーブルは、結束具Ｔにより吊線部１３に留められる。また、巻回部分１７の移動方向端側に予め取付けられている光コネクタ１８は、家屋Ｈの接続函内の接続アダプタ等に挿着される。なお、吊線部１３は、家屋Ｈへの引き落としで布設方向を変更するため、連続する吊線を中間部分で切断し、家屋Ｈとの間に直線状に張設する。また、吊線部１３は、別に用意したものを用いることもできる。
【００２４】
図２は、本発明による光ケーブルを用いた他のケーブル引き落とし形態を説明する図である。図２（Ａ）は、吊線が巻回部分に挿通されていない形態について図示している。この場合巻回部分１７の光ケーブルを吊線部１３上にスパイラル状に巻付けながら引き延ばし、巻付け体１９は、図１の例と同様に吊線部１３に沿って吊線部の周囲を旋回させながら移動させ、引き伸ばした状態でクランプ部材等で保持固定する例である。なお、図２（Ａ）は、引き伸ばしが終了してクランプ部材で固定した状態を示す。
【００２５】
図２（Ｂ）に示す形態は、巻付け体１９内に吊線部１３を挿通して、巻付け体１９を吊線部１３に沿って移動させ、巻回部分１７の光ケーブルを吊線部１３上にスパイラル状に巻付けるようにして引き延ばす例である。この布設形態は、吊線部１３を案内にして巻付け体１９を移動させることで、巻付け体１９の外周の巻付けられている巻回部分１７の光ケーブルが自動的に引き出されて吊線部１３上に巻付けられる。巻付け体１９は、両端を吊線部に固定することで保持固定される。なお、図２（Ｂ）は、引き延ばしが終了してクランプ部材で固定して状態を示す。
【００２６】
図３は本発明による光ケーブルの一例を説明する図である。図３（Ａ）に示す光ケーブルは、吊線部１３を有しない光ケーブルの一部に余長として巻回部分１７を設ける例である。図３（Ｂ）に示す光ケーブルは、本体部１２、１２’を吊線部１３から一部を分離した部分１６の光ケーブルに余長として巻回部分１７を設ける例である。光ケーブルの本体部１２，１２’の一部分は、円筒状の巻付け体１９の外周に円筒状に巻付けて巻回部分１７を形成する。この光ケーブルの巻回部分１７は、後述するように予めカール加工により巻回ターンが形成されたものであってもよい。
【００２７】
この巻回部分１７は、巻付け体１９から抜けたり、ばらけないように、保管時や運搬時には緊締バンド等（図示せず）を用いて保持させておく。なお、光ケーブルの布設等で、必要長さの光ケーブルを引き延ばす場合は、緊締バンド等を緩めるか除去して巻付け体１９上から繰出すようにする。
巻付け体１９は、プラスチックやアルミ等の軽量合金で円筒状に形成される。また、巻付け体１９の両端は、解放状態であってもよいが、蓋部材２０を取付けて内部に虫や鳥が入り込んで巣を作ったりしないようにするのが望ましい
【００２８】
巻回部分１７は、光ケーブルの許容曲げ径以上の径で巻かれる。このため、巻付け体１９は、外径が光ケーブルの許容曲げ径以上となるように形成されていることが好ましい。
また、巻回部分１７を引き延ばした状態で、実用上問題となるような伝送損失以下に抑えられていることが望ましい。例えば、波長１.５５μｍにおける曲げ径３０ｍｍでの曲げ損失が、０.５ｄＢ／１０ターン以下である光ファイバ心線が用いられていることが好ましい。さらには、波長１.５５μｍにおける曲げ径１５ｍｍでの曲げ損失が０.５ｄＢ／１０ターン以下となるような、許容曲げ径の光ファイバ心線が用いられていることが好ましい。
【００２９】
なお、上記の条件を満たす光ケーブルの光ファイバとして、例えば、波長１.３μｍにおけるPetermann−Iの定義によるモードフィールド径（ＭＦＤ：Mode Field Diameter）が９.０μｍ以下である光ファイバが用いられていることが好ましい。さらには、波長１.５５μｍにおけるモードフィールド径を８.０μｍとすることにより、側圧によるマイクロベンドや曲げ損失を抑えて、許容曲げ径を小さくすることが可能となる。
【００３０】
上記の点から光ケーブル１１，１１’の曲げ径Ｄを、例えば、３０ｍｍ程度とする。この場合、円筒上の巻回部分１７の長さＬは、例えば、１ｍ位（３００ターン程度）とすることで、２０ｍ程度の余長をとることができる。
ここで、図１，２に戻って、架空の幹線光ケーブルＣから家屋Ｈへの引き落としによる光ケーブル１１、１１’の布設距離を、例えば、４５〜５０ｍ程度とする。この場合，本体部１２、１２’と吊線部１３が連結一体化された部分１５を４０ｍ程度とし、本体部１２、１２’と吊線部１３が分離された部分１６を１０ｍ程度として、この部分を円筒状に巻回して余長分とする。なお、本体部１２，１２’の両端には、光コネクタ１８を取付けておくことが好ましい。
【００３１】
巻回部分１７は、本発明による上記の巻付け体１９やその他結束紐等を用いて巻回状態を保持することは可能であるが、単に巻回するだけでは巻回ターンが交差したりすることがあり、上記の巻付け体１９に巻取った後、両端部を保持固定するまでは円筒状に整列保持させることが難しい。そこで、図４に示すように、光ケーブルの余長分となる上記の巻回部分１７を円筒状にカール加工しておき、このカール加工された巻回ターンを巻付け体１９上に巻付けるようにしてもよい。
【００３２】
カール加工は、巻癖のない本体部１２、１２’を円柱状の巻付治具４０を用いて所定の径（光ケーブルの許容曲げ径以上）で整列巻する。次いで、加熱装置４１で加熱処理して外被部分含めて本体部１２、１２’の全体をカール加工し、巻回部分１７の巻回ターンが円筒状に整列するように整え、その巻回状態を保持する。このカール加工された円筒状の巻回部分１７は、軸方向に沿ってコイルばねのように伸縮させることができる。加熱手段４１ａとしては、ヒータ加熱や赤外線加熱などの種々の方法を用いることができる。
【００３３】
なお、図１（Ｂ）に示すような光ケーブル１１で、本体部１２のテンションメンバに鋼線が用いられている場合は、樹脂をカール加工する程度の加熱ではテンションメンバがカール加工されず、形状保持が難しい。このため、光ケーブル１１は、例えば、高強度繊維をマトリックス樹脂で固めたＦＲＰを用いたノンメタリックのテンションメンバで形成されているものが対象とされる。
【００３４】
図５及び図６は、図１（Ａ）または図２（Ａ）で説明した巻回部分１７のばらけ防止と巻付け体１９の保持固定の構成例を説明する図である。図５（Ａ）は、巻付け体１９の両端部をクランプ部材２２ａ，２２ｂとねじ部材２３により保持して、吊線部１３に吊支持させる例である。クランプ部材２２ａ，２２ｂは、金属または硬質のプラスチックで形成される。左側のクランプ部材２２ａは、例えば、吊線部１３、光ケーブルの本体部１２，１２’、巻付け体１９を一列状にして把持するように形成される。また、右側のクランプ部材２２ｂは、吊線部１３と巻付け体１９を一列状にして把持し、光ケーブルの本体部１２，１２’は、巻付け体１９の側面で把持するように形成されてもよい。
【００３５】
なお、クランプ部材２２ａ，２２ｂは、左側のケーブル引き延ばし方向と右側の巻付け体１９の移動方向で、異なる形状のものを用いる例を示したが、左右同じ形状のものを用いるようにしてもよい。ケーブル引き延ばしや巻付け体１９の移動に際しては、クランプ部材を一旦取り外し、引き延ばしを終了して固定箇所まで巻付け体を移動させたらクランプ部材で再度巻付け体と吊線部とを固定し、光ケーブルをクランプ部材で把持する。あるいは、引き延ばしや巻付け体の移動に際して、ねじ部材２３を緩めることにより、本体部１２，１２’と巻付け体１９の保持固定状態を解除し、所定のケーブル引き延ばしと巻付け体の移動が終了した場合は、再度、ねじ部材２３を締め付けて、巻回部分１７のばらけ防止と巻付け体１９の保持固定を行う。
【００３６】
図５（Ｂ）は、巻付け体１９の両端部をインシュロックのような結束部材２４ａ，２４ｂにより保持して、吊線部１３に吊支持させる例である。結束部材２４ａ，２４ｂは、可撓性のあるプラスチックで形成される。左側の結束部材２４ａは、例えば、吊線部１３、光ケーブルの本体部１２，１２’、巻付け体１９を一列状にして結束するような形状のものを用い、右側の結束部材２４ｂは、吊線部１３と巻付け体１９を一列状にして把持し、光ケーブルの本体部１２，１２’は、巻付け体１９の側面で把持するように形成される。
【００３７】
なお、左右両側の結束部材に、同じ形状のものを用いてもよいことは、図５（Ａ）の場合と同様である。ケーブル引き延ばしや巻付け体１９の移動に際しては、結束部材２４ａ，２４ｂを切取りまたは結束を緩めることにより、本体部１２，１２’と巻付け体１９の保持固定状態を解除し、所定のケーブル引き延ばしと巻付け体の移動が終了した場合は、再度、結束部材２４ａ，２４ｂで結束し、巻回部分１７のばらけ防止と巻付け体１９の保持固定を行う。
【００３８】
図６（Ａ）は、巻付け体１９に支持用のバー部材２５を挿通し、巻付け体１９の両端から突き出るバー部分をクランプ部材２６ａ，２６ｂとねじ部材２３により保持して、吊線部１３に吊支持させる例である。クランプ部材２６ａ，２６ｂは、図５（Ａ）の例と同様に金属または硬質のプラスチックで形成される。左側のクランプ部材２６ａは、例えば、吊線部１３、光ケーブルの本体部１２，１２’、バー部材２５を一列状にして把持するように形成される。また、右側のクランプ部材２６ｂは、吊線部１３とをバー部材２５一列状にして把持し、光ケーブルの本体部１２，１２’は、巻付け体１９の側面に、別途、結束部材２７で保持させてもよい。
【００３９】
なお、左右両側のクランプ部材に、同じ形状のものを用いてもよいことは、図５（Ａ）の場合と同様である。ケーブル引き延ばしや巻付け体１９の移動に際しては、クランプ部材２６ａ，２６ｂをねじ部材２３を緩めることにより、本体部１２，１２’と巻付け体１９の保持固定状態を解除し、所定のケーブル引き延ばしと巻付け体の移動が終了した場合は、再度、ねじ部材２３を締め付けて、巻回部分１７のばらけ防止と巻付け体１９の保持固定を行う。
【００４０】
図６（Ｂ）は、巻付け体１９に支持用のバー部材２５を挿通し、巻付け体１９の両端から突き出るバー部分をインシュロックのような結束部材２８ａ，２８ｂにより保持して、吊線部１３に吊支持させる例である。結束部材２８ａ，２８ｂは、可撓性のあるプラスチックで形成される。左側の結束部材２８ａは、例えば、吊線部１３、光ケーブルの本体部１２，１２’、巻付け体１９を一列状にして結束するような形状のものを用い、右側の結束部材２８ｂは、吊線部１３と巻付け体１９を一列状にして把持し、光ケーブルの本体部１２，１２’は、巻付け体１９の側面に、別途、結束部材２７で保持させてもよい。
【００４１】
なお、左右両側の結束部材に、同じ形状のものを用いてもよいことは、図５（Ａ）の場合と同様である。ケーブル引き延ばしや巻付け体１９の移動に際しては、結束部材２８ａ，２８ｂを切取りまたは結束を緩めることにより、本体部１２，１２’と巻付け体１９の保持固定状態を解除し、所定のケーブル引き延ばしと巻付け体の移動が終了した場合は、再度、結束部材２８ａ，２８ｂで結束し、巻回部分１７のばらけ防止と巻付け体１９の保持固定を行う。
【００４２】
図７は、図２（Ｂ）で説明した巻回部分１７のばらけ防止と巻付け体１９の保持固定の構成例を説明する図である。この例は、巻付け体１９は、内部に吊線部１３を挿通して支持させ、巻付け体１９を吊線部１３に沿って移動させ、巻回部分１７の光ケーブルを吊線部１３上にスパイラル状に巻付けるようにして引き延ばす例である。この例では、吊線部１３を案内にして巻付け体１９を移動させることで、巻付け体１９の外周に巻付けられている巻回部分１７の光ケーブルが自動的に引き出されて吊線部１３上に巻付けられる。
【００４３】
巻付け体１９は、両端を吊線部１３に固定することで保持固定される。この図７の例においては、図３で説明した蓋部材２０を取付け、引き延ばしが終了すれば蓋部材２０を吊線部１３に接着させるなどして固定することができる。また、孔２０ａに吊線部１３が挿通しやすいように、両側の蓋部材２０間に予め挿通パイプを配するようにしてもよい。また、巻回部分１７のばらけ防止には、図６で用いたのと同様なインシュロックのような結束部材２７を用いることができる。
【００４４】
図８〜図１２は、本発明による巻付け体の各種の実施形態を説明する図である。図８は、円筒状の巻付け体１９ａの軸方向にスリット３１を入れた例を示している。軸方向に入れたスリット３１は、通常は、巻付け体１９ａの弾性により閉じられているが、円筒形状維持の弾性力に抗して矢印方向に押し開くことにより、スリット３１を開くことができる。このスリット３１を開くことにより、吊線部１３を側方から巻付け体１９ａ内に挿通させ、あるいは取り出すことができる。
【００４５】
したがって、図２（Ｂ）において、吊線部１３の両端が構造物等に固定され張設された状態でも、吊線部１３に巻付け体１９ａを容易に挿通あるいは取り出すことが可能となる。また、図８（Ｃ）に示す様に、スリット３１の一方の端を巻付け体１９ａの内側に入れることで、巻付け体１９ａの外径を小さくすることができ、巻付け体１９ａを巻回部分１７から容易に着脱できるにようすることができる。この、スリット３１を設ける形態は、以下に説明する図９、図１０（Ａ）及び（Ｂ）、並びに図１２に示す巻付け体１９ｃ，１９ｄ１９ｆにも適用することができる。
【００４６】
図９（Ａ）は、巻付け体１９ｂのケーブルを引き延ばす側に、テーパ部３２を設けた例を示している。この例は、巻付け体１９ｂ上に巻付けられた巻回部分を引き延ばす際に、光ケーブルをスムーズに繰り出し、引き延ばしを容易にすることができる。また、光ケーブルを引き延ばすときに、巻付け体の端部エッジで、光ケーブルが擦られたりして損傷するのを軽減させることもできる。
【００４７】
図９（Ｂ）は、巻き付け体１９ｂ’全体がテーパ部３２’で構成されている例である。この場合巻付け体１９ｂ’は引き延ばす側に向かって細くなっており、付け体１９ｂ’がもっとも細くなっている先端部の外径を光ファイバの許容径以上とする。巻回部分１７は、図９（Ａ）の巻付け体１９ｂのテーパ部３２ではない部分に巻き付けることもできるし、図９（Ａ）及び図９（Ｂ）の巻き付け体のテーパ部に巻き付けることもできる。このテーパ部３２，３２’を設ける形態は、上述の図８のスリットを設ける形状のものにも適用することができ、また、次の図１０の形態にも適用することができる。
【００４８】
図１０（Ａ）は、巻付け体１９ｃの軸方向に沿って、突起部３３を連続的に設けた例を示している。突起部３３は、少なくとも１本の光ケーブル１２，１２’が入れられる間隔をおいて、巻付け体１９ｃの外面に少なくとも１列設けられる。光ケーブル１２，１２’は、この突起部３３の間のスペース部３３ａに収納されるようにして、巻付け体１９ｃ上に巻付けられる。巻回部分の各巻回ターンは、軸方向の移動が拘束され、巻回ターンが交差することなく所定の間隔で保持される。
【００４９】
図１０（Ｂ）は、巻付け体１９ｄの軸方向に沿って、図１０（Ａ）の例より突起部３３を間隔を開けて設けた例を示している。この例では、突起部３３の間隔が、光ファイバが５〜１０本程度収納できるようにしている。複数本の光ケーブルをまとめて突起部３３に入れることで、図１０（Ａ）の１本を入れる場合より、光ケーブルを引き延ばしやすくすることができる。しかし、図１０（Ａ）の場合より、巻回ターンの保持拘束力が多少低下するので、例えば、突起部３３の頂部に突き出し片３３ａを設けるようにしてもよい。
【００５０】
図１１は、巻付け体１９ｅを軸方向に沿って、複数の短尺の円筒体３４に分割した例を示している。短尺の円筒体３４の端部に互いに着脱が可能な結合部３５で形成され、任意の個数の円筒体３４を連結させることにより、任意の長さの巻付け体１９ｅとすることができる。結合部３５は、例えば、互いに嵌め合いが可能な雄部３５ａと雌部３５ｂからなり、嵌合回動により一体化させるような構成を用いることができる。前記のように巻付け体１９ｅの長さを変更することが可能で、光ケーブルの余長を任意の長さで選ぶことができる。また、ケーブルの引き延ばしで巻回部分の残量が少なくなった場合は、適当数の円筒体３４を除去して、巻付け体１９ｅを短くすることができる。
【００５１】
図１２は、巻付け体１９ｆを軸方向に沿って、所定の間隔で円周方向にノッチ３６を設けた例を示している。円周方向ノッチ３６は、例えば、ノッチ断面がＶ字状に形成されていて、カッタ等により切込みを入れることにより容易に切断することができる。この巻付け体１９ｆは、長いパイプ状のものを、円周方向ノッチ３６で破断して所望長さの巻付け体１９ｆを取得することができる。また、ケーブルの引き延ばしで巻回部分の残量が少なくなった場合は、適当な個所の円周方向ノッチ３６で切断して、図１１の場合と同様に巻付け体１９ｅを短くすることができる。
【図面の簡単な説明】
【００５２】
【図１】本発明の実施の形態の概略を説明する図である。
【図２】本発明の他の実施の形態の概略を説明する図である。
【図３】本発明による光ケーブルの一例を説明する図である。
【図４】本発明における光ケーブルにカール加工を施す一例を説明する図である。
【図５】本発明における巻回部分のばらけ防止と巻付け体を吊線部に支持させる構成例を説明する図である。
【図６】本発明における巻回部分のばらけ防止と巻付け体を吊線部に支持させる他の構成例を説明する図である。
【図７】本発明における巻付け体に吊線部を挿通させる構成例を説明する図である。
【図８】本発明における巻付け体の構成例を説明する図である。
【図９】本発明における巻付け体の他の構成例を説明する図である。
【図１０】本発明における巻付け体のその他の構成例を説明する図である。
【図１１】本発明における巻付け体のその他の構成例を説明する図である。
【図１２】本発明における巻付け体のその他の構成例を説明する図である。
【図１３】従来の光ケーブルの引き落とし方法を説明する図である。
【図１４】従来のドロップ光ケーブルの構成例を説明する図である。
【符号の説明】
【００５３】
１１，１１’…光ケーブル、１２，１２’…本体部、１３…吊線部、１４…首部、１５…連結一体化部分、１６…分離された部分、１７…巻回部分、１８…光コネクタ、１９，１９ａ〜１９ｆ…巻付け体、２０…蓋部材、２２ａ，２２ｂ，２６ａ，２６ｂ…クランプ部材、２３…ねじ部材、２４ａ，２４ｂ，２７，２８ａ，２８ｂ…結束部材、２５…バー部材、３１…スリット、３２，３２’…テーパ部、３３…突起部、３４…短尺の円筒体、３５…結合部、３６…円周方向ノッチ。
【図１】
2008268461.tif 000003
【図２】
2008268461.tif 000004
【図３】
2008268461.tif 000005
【図４】
2008268461.tif 000006
【図５】
2008268461.tif 000007
【図６】
2008268461.tif 000008
【図７】
2008268461.tif 000009
【図８】
2008268461.tif 000010
【図９】
2008268461.tif 000011
【図１０】
2008268461.tif 000012
【図１１】
2008268461.tif 000013
【図１２】
2008268461.tif 000014
【図１３】
2008268461.tif 000015
【図１４】
2008268461.tif 000016